【手続補正書】
【提出日】平成30年3月23日(2018.3.23)
【手続補正１】
【補正対象書類名】特許請求の範囲
【補正対象項目名】全文
【補正方法】変更
【補正の内容】
【特許請求の範囲】
【請求項１】
会計時に、会計に関する情報である会計情報と、会計が行われた時刻を示す会計時刻情報とを送信するＰＯＳシステムと、
自身が所定の動きをしたか否かを検出し、前記所定の動きをしたことを検出した場合、識別情報と、前記所定の動きを検出したときの時刻を示す実行時刻情報とを送信する端末と、
前記ＰＯＳシステムから受信した前記会計時刻情報と、前記端末から受信した前記実行時刻情報とに基づいて、前記会計時刻情報と併せて受信した前記会計情報と、前記実行時刻情報と併せて受信した前記識別情報とを関連付けて記憶する制御装置と、を備える
ことを特徴とする会計システム。
【請求項２】
前記ＰＯＳシステムは、
会計時に、会計に関する処理の実行を指示する制御データを送信するＰＯＳ端末と、受信した前記制御データに基づく処理を実行し、前記制御データに基づく前記会計情報と、前記会計時刻情報とを前記制御装置に送信する処理装置と、を備えることを特徴とする請求項１に記載の会計システム。
【請求項３】
前記端末は、
前記端末の位置を示す位置情報を取得する機能を有し、前記端末が前記所定の動きをしたことを検出した場合、前記識別情報、及び、前記実行時刻情報と併せて、前記位置情報を前記制御装置に送信し、
前記制御装置は、
前記端末から受信した前記位置情報に基づいて、前記端末の位置に対応する位置に配置された前記ＰＯＳシステムを特定することを特徴とする請求項１又は２に記載の会計システム。
【請求項４】
前記端末は、
前記端末が前記所定の動きをしたことを検出した場合、前記識別情報、前記実行時刻情報、及び、前記位置情報と併せて、前記所定の動きを示す情報である実行動作情報を前記制御装置に送信し、
前記制御装置は、
前記ＰＯＳシステムを示す情報と、前記実行動作情報とを関連付けて記憶し、
前記ＰＯＳシステムから受信した前記会計時刻情報と、前記端末から受信した前記実行時刻情報とが対応関係にある場合、且つ、前記実行時刻情報と併せて受信した前記実行動作情報が示す前記所定の動きと、前記実行時刻情報と併せて受信した前記位置情報に基づいて特定した前記ＰＯＳシステムを示す情報と関連付けて記憶された前記実行動作情報が示す所定の動きとが一致する場合、
前記会計時刻情報と併せて受信した前記会計情報と、前記実行時刻情報と併せて受信した前記識別情報とを関連付けて記憶することを特徴とする請求項３に記載の会計システム。
【請求項５】
前記端末は、
前記端末が所定の態様で動いた場合に、前記端末が前記所定の動きをしたと判別することを特徴とする請求項１乃至４のいずれか１項に記載の会計システム。
【請求項６】
前記端末は、
前記端末の姿勢が所定の姿勢となった場合に、前記端末が所定の動きをしたと判別することを特徴とする請求項１乃至４のいずれか１項に記載の会計システム。
【請求項７】
前記端末は、
前記端末が所定の領域に位置する間、前記端末が所定の動きをしたか否かを検出することを特徴とする請求項１乃至６のいずれか１項に記載の会計システム。
【請求項８】
前記端末は、
当該端末が動作すべき前記所定の動きをユーザーに通知することを特徴とする請求項１乃至７のいずれか１項に記載の会計システム。
【請求項９】
前記ＰＯＳシステムは、
前記端末が動作すべき前記所定の動きをユーザーに通知することを特徴とする請求項１乃至７のいずれか１項に記載の会計システム。
【請求項１０】
ＰＯＳシステムで、会計に関する情報である会計情報と、会計が行われた時刻を示す会計時刻情報とを送信し、
端末で、前記端末が所定の動きをしたか否かを検出し、前記端末が前記所定の動きをしたことを検出した場合、識別情報と、前記端末が前記所定の動きをしたときの時刻を示す実行時刻情報とを送信し、
制御装置で、
前記ＰＯＳシステムで送信された前記会計情報と前記会計時刻情報とを受信し、前記端末で送信された前記識別情報と前記実行時刻情報とを受信し、
受信した前記会計時刻情報と、受信した前記実行時刻情報とに基づいて、前記会計時刻情報と併せて受信した前記会計情報と、前記実行時刻情報と併せて受信した前記識別情報とを関連付けて記憶する
ことを特徴とする情報処理方法。
【請求項１１】
会計時に、会計に関する情報である会計情報と、会計が行われた時刻を示す会計時刻情報とを送信するＰＯＳシステムと、
識別情報と、自身の状態を示す端末状態情報とを送信する端末と、
前記端末から受信した前記端末状態情報に基づいて、前記端末が所定の動きをしたか否かを検出し、前記端末が所定の動きをしたことを検出した場合、前記端末が前記所定の動きを検出したときの時刻を示す実行時刻情報を取得し、
前記ＰＯＳシステムから受信した前記会計時刻情報と、前記端末状態情報に基づいて取得した前記実行時刻情報とに基づいて、前記会計時刻情報と併せて受信した前記会計情報と、前記端末状態情報と併せて受信した前記識別情報とを関連付けて記憶する制御装置と、を備える
ことを特徴とする会計システム。
【請求項１２】
前記ＰＯＳシステムは、
会計時に、会計に関する処理の実行を指示する制御データを送信するＰＯＳ端末と、前記制御データに基づく前記会計情報と、前記会計時刻情報とを前記制御装置に送信する処理装置と、を備えることを特徴とする請求項１１に記載の会計システム。
【請求項１３】
前記端末は、
前記端末の位置を示す位置情報を取得する機能を有し、前記識別情報、及び、前記端末状態情報と併せて、前記位置情報を前記制御装置に送信し、
前記制御装置は、
前記端末から受信した前記位置情報に基づいて、前記端末が所定の動きをしたときの前記端末の位置に対応する位置に配置された前記ＰＯＳシステムを特定することを特徴とする請求項１１又は１２に記載の会計システム。
【請求項１４】
前記制御装置は、
前記ＰＯＳシステムを示す情報と、前記所定の動きを示す実行動作情報とを関連付けて記憶し、
前記ＰＯＳシステムから受信した前記会計時刻情報と、前記端末状態情報に基づいて取得した前記実行時刻情報とが対応関係にある場合、且つ、前記端末状態情報に基づいて検出された前記所定の動きと、特定した前記ＰＯＳシステムを示す情報と関連付けられた前記実行動作情報が示す所定の動きとが一致する場合、
前記会計時刻情報と併せて受信した前記会計情報と、前記実行時刻情報と併せて受信した前記識別情報とを関連付けて記憶することを特徴とする請求項１３に記載の会計システム。
【請求項１５】
前記制御装置は、
前記端末が所定の態様で動いた場合に、前記端末が前記所定の動きをしたと判別することを特徴とする請求項１１乃至１４のいずれか１項に記載の会計システム。
【請求項１６】
前記制御装置は、
前記端末の姿勢が所定の姿勢となった場合に、前記端末が所定の動きをしたと判別することを特徴とする請求項１１乃至１４のいずれか１項に記載の会計システム。
【請求項１７】
前記端末は、
前記端末が所定の領域に位置する間、前記識別情報と、前記端末状態情報との前記制御装置への送信を実行することを特徴とする請求項１１乃至１６のいずれか１項に記載の会計システム。
【請求項１８】
前記端末は、
当該端末が動作すべき前記所定の動きをユーザーに通知することを特徴とする請求項１１乃至１７のいずれか１項に記載の会計システム。
【請求項１９】
前記ＰＯＳシステムは、
前記端末が動作すべき前記所定の動きをユーザーに通知することを特徴とする請求項１１乃至１７のいずれか１項に記載の会計システム。
【請求項２０】
ＰＯＳシステムで、会計に関する情報である会計情報と、会計が行われた時刻を示す会計時刻情報とを送信し、
端末で、識別情報と、前記端末の状態を示す端末状態情報とを送信し、
制御装置で、
前記ＰＯＳシステムで送信された前記会計情報と前記会計時刻情報とを受信し、前記端末で送信された前記識別情報と前記端末状態情報とを受信し、
受信した前記端末状態情報に基づいて、前記端末が所定の動きをしたか否かを検出し、前記端末が所定の動きをしたことを検出した場合、前記端末が前記所定の動きをしたときの時刻を示す実行時刻情報を取得し、
受信した前記会計時刻情報と、前記端末状態情報に基づいて取得した前記実行時刻情報とに基づいて、前記会計時刻情報と併せて受信した前記会計情報と、前記端末状態情報と併せて受信した前記識別情報とを関連付けて記憶する
ことを特徴とする情報処理方法。
【手続補正２】
【補正対象書類名】明細書
【補正対象項目名】０００６
【補正方法】変更
【補正の内容】
【０００６】
また、本発明の会計システムは、前記ＰＯＳシステムは、会計時に、会計に関する処理の実行を指示する制御データを送信するＰＯＳ端末と、受信した前記制御データに基づく処理を実行し、前記制御データに基づく前記会計情報と、前記会計時刻情報とを前記制御装置に送信する処理装置と、を備えることを特徴とする。
本発明の構成によれば、処理装置が、会計に応じてＰＯＳ端末から制御データを受信することを利用して、ＰＯＳシステムから制御装置に、会計情報と会計時刻情報とを送信できる。
【手続補正３】
【補正対象書類名】明細書
【補正対象項目名】００１６
【補正方法】変更
【補正の内容】
【００１６】
また、本発明の会計システムは、前記ＰＯＳシステムは、会計時に、会計に関する処理の実行を指示する制御データを送信するＰＯＳ端末と、前記制御データに基づく前記会計情報と、前記会計時刻情報とを前記制御装置に送信する処理装置と、を備えることを特徴とする。
本発明の構成によれば、処理装置が、会計に応じてＰＯＳ端末から制御データを受信することを利用して、ＰＯＳシステムから制御装置に、会計情報と会計時刻情報とを送信できる。
【手続補正４】
【補正対象書類名】明細書
【補正対象項目名】００１８
【補正方法】変更
【補正の内容】
【００１８】
また、本発明の会計システムは、前記制御装置は、前記ＰＯＳシステムを示す情報と、前記所定の動きを示す実行動作情報とを関連付けて記憶し、前記ＰＯＳシステムから受信した前記会計時刻情報と、前記端末状態情報に基づいて取得した前記実行時刻情報とが対応関係にある場合、且つ、前記端末状態情報に基づいて検出された前記所定の動きと、特定した前記ＰＯＳシステムを示す情報と関連付けられた前記実行動作情報が示す所定の動きとが一致する場合、前記会計時刻情報と併せて受信した前記会計情報と、前記実行時刻情報と併せて受信した前記識別情報とを関連付けて記憶することを特徴とする。
本発明の構成によれば、顧客がＰＯＳシステムで会計を行った場合、且つ、顧客がＰＯＳシステムに対応する動作を端末に行わせた場合に、会計情報と識別情報とを関連付けることができる。